(57)【特許請求の範囲】
【請求項１】
外部から供給される電力から複数の必要電源を生成して各遊技用装置の制御を行う各制御基板に供給する電源生成手段を備え、
前記各制御基板から分離して前記電源生成手段を形成すると共に、
前記電源生成手段から複数の必要電源が供給される電源中継基板を設けた遊技機であって、
前記電源生成手段は、交流電源から前記複数の必要電源である複数の直流電源、バックアップ電源、停電信号及びリセット信号を生成し、
前記直流電源、バックアップ電源、停電信号及びリセット信号は電源中継基板に供給され、
前記電源中継基板は、前記直流電源、バックアップ電源、停電信号、リセット信号のうちのいずれか又は複数を、前記各制御基板の１つである主制御基板及び該主制御基板が他の制御基板を介することなく信号を直接送信することのできる制御基板に分配し、
前記主制御基板が他の制御基板を介することなく信号を直接送信することのできない制御基板には前記電源中継基板を介さず前記直流電流を前記電源生成手段から直接供給し、当該制御基板を前記電源生成手段の近傍に配置することを特徴とする遊技機。
【請求項２】
前記主制御基板が他の制御基板を介することなく信号を直接送信することのできる制御基板は賞球制御基板、図柄制御基板、音声制御基板、ランプ制御基板であり、
前記主制御基板が信号を直接送信することのできない制御基板は発射制御基板であることを特徴とする請求項１に記載の遊技機。
【発明の詳細な説明】
【０００１】
【発明の属する技術分野】
本発明は、外部から供給される電力から複数の必要電源を生成して、各遊技用装置の制御手段に供給する遊技機の電源供給手段に関するものである。
【０００２】
【従来の技術】
遊技機として、遊技盤の略中央部に配設された図柄表示装置に表示される図柄がある一定時間変動表示された後に停止し、停止した図柄が予め定められた特定の表示態様となると、遊技者に有利となる特別遊技状態に移行するように構成されたものがある。この特別遊技状態となると、例えば、大入賞口と呼ばれる可変入賞口が所定回数開放して遊技球が極めて入賞しやすい状態となる。そして、各開放期間において、所定個数（例えば１０個）の大入賞口への入賞があると大入賞口は閉成する。そして、この１０個の遊技球の入賞を１ラウンドとして、このラウンドを所定回数（例えば１６ラウンド）繰返すようになっている。なお、各開放について開放時間（例えば３０秒）が決められ、入賞数が所定個数に達しなくても開放時間が経過すると大入賞口は閉成する。また、大入賞口が閉成するまでの間に、所定の条件（例えば、大入賞口内に設けられる特別入賞領域と呼ばれるゾーンへの入賞）が成立していない場合には、特別遊技状態は終了する。
【０００３】
前記特別遊技状態の発生等を含む遊技の進行は、遊技盤の裏面に設置される主制御基板に搭載される遊技制御用のマイクロコンピュータ回路によって制御される。また、遊技盤面や枠内部には、遊技効果を高めるためのランプ、ＬＥＤやスピーカ等が設置されている。それらのオン・オフ制御を行うための回路を搭載した基板も遊技盤の裏面に設置されている。また、図柄表示装置の図柄の表示を制御する図柄表示制御基板、遊技球の発射の制御を行う発射制御基板、賞球や貸球の払出制御を行う賞球制御基板等も遊技盤の裏面に設置されている。
【０００４】
ランプ、ＬＥＤ、スピーカ等の電気部品や各基板に搭載された各回路および大入賞口等の可変入賞口の開閉制御を行うソレノイドは、直流電力によって駆動される。また、遊技球の発射および賞球、貸球の払出を行うモータも直流電力によって駆動されることが多い。したがって、それらの遊技部品に直流電力を供給する必要がある。また、各遊技部品に応じて、異なる電圧の直流電力を供給する必要がある。よって、遊技機には、交流電力から複数種類の電圧の直流電力を作成する電源基板が設けられており、このような電源基板は、従来から種種開発されている。例えば、特開２０００−５３８６号公報の発明は、複数種類の電圧の直流電力を作成する電源基板を各遊技用機器の制御基板とは別個に設け、前記電源基板を遊技機枠の所定位置に設置する。そして、電源基板から各制御基板に複数種類の電圧の直流電力を供給するようにしたものである。
【０００５】
【発明が解決しようとする課題】
しかしながら、上記特開２０００−５３８６号公報の発明は、電源基板が各遊技用機器の制御基板から離れた位置に設置されている。また、各遊技機用機器の制御基板は様々な位置に設置されている。したがって、電源基板と各制御基板を電気配線で接続するためには、必要以上に電気配線を長くして遊技機内を取廻す必要があり、この電気配線の取廻し作業が面倒である。また、電気配線が必要以上に長くなるために静電気等のノイズに弱くなるという課題もある。
さらに、電源基板には各制御基板に対応した本数の電気配線が接続されており、遊技店において故障などが発生した場合には、電源基板に接続される全ての電気配線を取り外さなければ点検・修理ができないという課題もある。
【０００６】
そこで、本発明は上記のような事情に鑑みてなされたもので、その目的は、電源基板から電源中継基板を介して各制御基板に電気配線を接続することにより、各電気配線を短くすることができ、このため配線の取廻し作業を簡略化することができると共に、電気配線が短くなることにより、静電気等のノイズに強くすることができる。さらに、電源基板に接続される電気配線の本数を少なくすることにより、遊技店において故障等が発生した場合には最小限の配線を取り外すだけで点検・修理ができる遊技機を提供することにある。
【０００７】
本発明は、上記課題に鑑み提案されたもので請求項１記載の遊技機は、
外部から供給される電力から複数の必要電源を生成して各遊技用装置の制御を行う各制御基板に供給する電源生成手段を備え、
前記各制御基板から分離して前記電源生成手段を形成すると共に、
前記電源生成手段から複数の必要電源が供給される電源中継基板を設けた遊技機であって、
前記電源生成手段は、交流電源から前記複数の必要電源である複数の直流電源、バックアップ電源、停電信号及びリセット信号を生成し、
前記直流電源、バックアップ電源、停電信号及びリセット信号は電源中継基板に供給され、
前記電源中継基板は、前記直流電源、バックアップ電源、停電信号、リセット信号のうちのいずれか又は複数を、前記各制御基板の１つである主制御基板及び該主制御基板が他の制御基板を介することなく信号を直接送信することのできる制御基板に分配し、
前記主制御基板が他の制御基板を介することなく信号を直接送信することのできない制御基板には前記電源中継基板を介さず前記直流電流を前記電源生成手段から直接供給し、当該制御基板を前記電源生成手段の近傍に配置することを特徴とするものである。
【０００８】
ここで、前記電源生成手段を各制御基板から分離するとは、各制御基板に必要な電圧の全てを電源生成手段で生成して供給（全部分離）しても良いし、各制御基板において、電源生成手段から供給された電圧により必要な電圧を生成（一部分離）、例えば電源生成手段から供給される１２Ｖから５Ｖを生成するようにしても良い。
【０００９】
加えて、請求項２記載の遊技機は、請求項１記載の遊技機において、前記主制御基板が他の制御基板を介することなく信号を直接送信することのできる制御基板は賞球制御基板、図柄制御基板、音声制御基板、ランプ制御基板であり、前記主制御基板が信号を直接送信することのできない制御基板は発射制御基板であることを特徴とする。
【００１３】
【発明の実施の形態】
次に、好適な実施例により発明の実施の形態をより具体的に説明する。なお、本発明の実施の形態は、下記の実施例に何ら限定されるものではなく、本発明の技術的範囲に属する限り種々の形態を採り得ることはいうまでもない。
【００１４】
【実施例】
図１は遊技機の代表例であるパチンコ機１０の正面図であり、いわゆるカード式第一種パチンコ機と呼ばれるものである。前記パチンコ機１０は、遊技店の遊技機設置島に設置固定するための外枠１１にヒンジ機構１２、１２を上下に設け、額縁状に形成された内枠１３を開閉可能に軸着している。そして、内枠１３には、裏面から開口部を塞ぐように遊技盤１４が装着されている。また、内枠１３の前面からは遊技盤１４の遊技領域を透視するためのガラスを装備した金枠１５が開閉可能に螺着されている。
【００１５】
遊技盤１４の下方には、遊技球を整列流下させながら発射装置に誘導するための上皿１６が配設されている。前記上皿１６は払出された賞球、あるいは貸球が流出する流出口１６ａおよび貯留された遊技球を排出するための上皿球抜きレバー１６ｂを有している。また、上皿球抜きレバー１６ｂの下方には、後述する球貸ユニットを操作するための球貸ボタン１７ａ、カード返却ボタン１７ｂ、カード残金表示部１７ｃを備えた球貸ユニット操作パネル１７が設けられている。
【００１６】
上皿１６の下方には、下皿１８が配設されており、前記下皿１８には、上皿１６からオーバーフローしてきた賞球、あるいは貸球が流出する流出口１８ａおよび貯留された遊技球を球箱等に排出するための下皿球抜きレバー１８ｂを有している。そして、下皿１８の右端部には、発射レバー１９を有した発射ハンドル２０が装着されており、前記発射レバー１９を遊技者が回転操作することで遊技球を遊技盤１４の任意の位置に発射することができる。
【００１７】
遊技盤１４は、周囲をガイドレール２１により円形状に外囲され、前記ガイドレール２１に囲まれた領域が遊技領域２２となる。なお、遊技領域２２には、誘導釘（図示は省略）がほぼ全域にわたって設けられており、前記誘導釘によって遊技領域２２に発射された遊技球を任意の位置に誘導する。遊技領域２２の略中央部にはセンター役物２３が装着されている。前記センター役物２３の中央部には、特別図柄の表示態様を変化させた後に確定表示させる特別図柄表示装置２４が装着されており、その上方には、普通図柄の表示態様を変化させた後に確定表示させる普通図柄表示装置２５が装着されている。また、センター役物２３の周囲にはランプ風車２６、２６、風車２７、２７、普通図柄始動用ゲート２８、２８、サイドランプ２９、２９、普通電動役物３０が配設されている。なお、普通電動役物３０は、公知の技術である開閉羽３０ａ、３０ｂを備えた電動チューリップ式入賞口となっている。
【００１８】
普通電動役物３０の左右には肩入賞口３１、３１が配設されており、普通電動役物３０の下方には入賞装置３２が装着されている。前記入賞装置３２は、中央に大入賞口３３が設けられており、その両端に袖入賞口３４、３４が設けられている。そして、入賞装置３２の下方、ガイドレール２１の最下部にはアウト口３５が配設されている。
パチンコ機１０の左一側には球貸ユニット３６が縦長状に取付けられている。前記球貸ユニット３６は、カード挿入口３７と表示ランプ３８とを有し、カード挿入口３７にカードを挿入すれば、表示ランプ３８が点灯すると共に、上皿１６に配設されている球貸ユニット操作パネル１７のカード残金表示部１７ｃに残金が表示される。そして、残金が表示されていれば、球貸ボタン１７ａを押すことにより上皿１６の流出口１６ａから所定数の貸球が排出される。また、カード返却ボタン１７ｂを押すことにより残金を記録済みのカードがカード挿入口３７から返却されるようになっている。
【００１９】
次に、図２にしたがってパチンコ機１０の裏面の構成について説明する。図２はパチンコ機１０の裏面図である。図に示すように、パチンコ機１０の裏面には、遊技盤取付枠３９が装着されており、該遊技盤取付枠３９には、遊技盤１４が着脱自在に装着される。また、遊技盤取付枠３９の一側には、合成樹脂製の機構板４０が開閉可能に装着される。
前記機構板４０の上部には、賞球あるいは貸球として排出するための遊技球を貯留する球タンク４１が設けられ、パチンコ機１０が遊技機設置島に設置された状態でその上方から遊技球が球タンク４１に供給される。そして、球タンク４１の下方には、賞球用樋と貸球用樋が形成され、それらの樋に遊技球を分流しながら流下させるタンクレール４２が設けられており、タンクレール４２の下流端はカーブ樋４３を介して賞球払出装置４４、貸球払出装置４５にそれぞれ接続される。
【００２０】
機構板４０の略中央部には、遊技制御用マイクロコンピュータ等が搭載された主制御基板４６が主制御基板ケース４６ａ内に収納され配設されている。前記主制御基板ケース４６ａの背面には、スピーカからの音声発生を制御するための音声制御基板４７、遊技盤１４面に設けられる遊技効果を高めるためのランプ等の点灯方法を制御するランプ制御基板４８がそれぞれ設けられている。また、主制御基板４６の上部には、特別図柄表示装置２４の背面部が突出しており、該特別図柄表示装置２４内には、図柄表示装置基板（特別図柄用）２４ａが内蔵されている。また、特別図柄表示装置２４の背面板には、遊技盤１４に配設された各遊技部品に信号を供給するための遊技盤用中継基板４９が装着される。そして、特別図柄表示装置２４の左方には、本発明の要旨である電源中継基板５０が設けられている。
【００２１】
機構板４０の下部右側には、前記賞球払出装置４４あるいは貸球払出装置４５を制御して賞球あるいは貸球を払出すための賞球制御基板５１が設けられており、その左側には、賞球を払出すために必要なスイッチ等からの信号を中継する枠用中継基板５２が設けられている。さらに、機構板４０の下部左側には、外部から供給される電力から複数の直流電圧を生成する電源回路が搭載された電源基板５３が設けられ、電源基板５３の下方、内枠１３の左下部には、遊技球を発射するための発射装置５４が装着されており、該発射装置５４には、発射装置５４を制御する発射制御基板５５が設けられている。また、機構板４０の右上隅部には、遊技に関する各種情報を遊技機外部に出力するための各端子を備えた外部接続端子板５６が設置されている。
【００２２】
次に、図３にしたがって、上記のように構成されるパチンコ機１０の電気的構成について説明をする。図３は、パチンコ機１０の電気的構成の一例を示すブロック図である。図に示すように、電源基板５３には、外部の電源プラグから交流電力が供給される。そして、この交流電力から各種直流電圧を生成して、各基板に必要な直流電圧を供給するようにしている。電源基板５３からの直流電圧の供給は、発射制御基板５５に対しては、電源基板５３から直接発射制御基板５５に供給するようにして、その他の基板の賞球制御基板５１、主制御基板４６、図柄表示装置基板（特別図柄用）２４ａ、音声制御基板４７、ランプ制御基板４８に対しては、電源中継基板５０を介して、各基板に必要な直流電圧を供給するように構成している。
【００２３】
主制御基板４６は、遊技制御プログラムを記憶したＲＯＭおよび演算等の作業領域として働くＲＡＭを内蔵した８ビットワンチップマイコンを中心とした論理演算回路として構成され、この他各基板または各種スイッチ類および各種アクチュエータ類の入出力を行うための外部入出力回路も設けられている。
主制御基板４６の入力側には、第１種始動口スイッチ３０ｃが接続され、遊技盤用中継基板４９を介して普通図柄作動スイッチ２８ａ、２８ａ、役物連続作動スイッチ（以下、単に「Ｖスイッチ」と呼ぶ）３３ａ、カウントスイッチ３３ｂ、複数のその他入賞口スイッチ５９が接続され、枠用中継基板５２を介して満タンスイッチ５７、補給スイッチ５８、賞球払出スイッチ４４ａ等が接続されている。また、出力側には、外部接続端子板５６が接続され、遊技盤用中継基板４９を介して普通図柄を変動表示するための普通図柄表示装置２５、大入賞口ソレノイド３３ｃ、Ｖソレノイド３３ｄ、普通電動役物ソレノイド３０ｄ等が接続され、枠用中継基板５２を介して球切モータ４４ｂが接続されている。
【００２４】
第１種始動口スイッチ３０ｃは前述した遊技盤１４上の普通電動役物３０内、普通図柄作動スイッチ２８ａ、２８ａは普通図柄始動用ゲート２８、２８内、Ｖスイッチ３３ａは大入賞口３３内の特定領域内、同じくカウントスイッチ３３ｂは大入賞口３３内、満タンスイッチ５７は下皿１８内、補給スイッチ５８は球タンク４１内、その他入賞口スイッチ５９は普通電動役物３０および大入賞口３３以外の遊技盤面上の入賞口に取り付けられている。ここで、Ｖスイッチ３３ａは大入賞口３３内に入賞した遊技球が特別装置作動領域（以下、「特別領域」という。）を通過したことを、カウントスイッチ３３ｂは大入賞口３３内に入賞する全ての遊技球を、満タンスイッチ５７は下皿１８内に遊技球が満タン状態になったことを、補給スイッチ５８は球タンク４１内に遊技球が存在することを、その他の入賞口スイッチ５９は普通電動役物３０および大入賞口３３以外の遊技盤面上の入賞口に遊技球が入賞したことを各々検出するためのものである。
また、出力側に接続された大入賞口ソレノイド３３ｃは大入賞口３３、Ｖソレノイド３３ｄは大入賞口３３内の特別領域、普通電動役物ソレノイド３０ｄは普通電動役物３０の開閉羽３０ａ、３０ｂの開閉に各々使用されるものである。
【００２５】
特別図柄の変動表示を制御する図柄表示装置基板（特別図柄用）２４ａは、前述した特別図柄表示装置２４内に設けられ、特別図柄表示装置２４は、この他にバックライトおよびインバータ基板等の付属ユニットから構成されている。図柄表示装置基板（特別図柄用）２４ａは、前述した主制御基板４６と同様８ビットワンチップマイコンを中心とした論理演算回路として構成されている。そして、主制御基板４６からの指令により特別図柄を変動表示させる。
【００２６】
賞球制御基板５１は、主制御基板４６と同様マイクロコンピュータを用いた論理演算回路として構成され、その入力回路には貸球払出装置４５内に設けられる貸球払出スイッチ４５ａが接続され、また、枠用中継基板５２を介して賞球払出装置４４内に設けられる賞球払出スイッチ４４ａが接続され、出力回路には貸球払出装置４５内に設けられる貸球モータ４５ｂが接続され、また、枠用中継基板５２を介して賞球払出装置４４内に設けられる球切モータ４４ｂが接続されている。また、賞球制御基板５１には、前述した貸球ユニット３６およびＣＲ精算表示基板６０が双方向に接続されている。賞球払出スイッチ４４ａは、枠用中継基板５２を介して主制御基板４６にも接続されている。
【００２７】
球切モータ４４ｂおよび貸球モータ４５ｂは、カーブ樋４３から供給される遊技球を下方に所定個数流下させるものである。球切モータ４４ｂから払出される遊技球は賞球払出スイッチ４４ａにより検出され、貸球モータ４５ｂから払出される遊技球は貸球払出スイッチ４５ａにより検出される。
【００２８】
ＣＲ精算表示基板６０は、賞球制御基板５１に接続され前述した上皿１６に設けられる球貸ユニット操作パネル１７の裏面に設けられ、球貸ボタン１７ａ、カード返却ボタン１７ｂ、カード残金表示部１７ｃ等から構成されている。
本具体例では、賞球制御基板５１の出力回路には発射制御基板５５が接続され、賞球制御基板５１から発射制御基板５５に信号を出力することができるよう構成されている。
前記構成により主制御基板４６から賞球払出指令のデータが送信されると、このデータを受信した賞球制御基板５１は、未払の賞球データに送信されたデータが示す賞球個数を加算して新たな賞球データとして記憶し、所定個数の遊技球を賞球として払出した後に賞球払出スイッチ４４ａにより検出された遊技球を記憶した賞球データから減算処理を実行して新たな賞球データとし、この賞球データの値が零になるまで払出処理を実行する。
【００２９】
一方、ＣＲ精算表示基板６０の貸出ボタン１７ａを押下すると、１００円の場合は球貸ユニット３６から賞球制御基板５１に１パルスの信号が送信され、５００円の場合には５パルスの信号が送信される。賞球制御基板５１は、１パルスの信号に対して２５個の遊技球が貸球払出スイッチ４５ａにより検出されるまで貸球モータ４５ｂを駆動制御して貸球を払出す処理を実行する。
【００３０】
発射制御基板５５は、遊技者が操作する発射ハンドル２０の回動量に応じて発射モータ５４ａを駆動制御するものであり、その他遊技者が発射停止スイッチを押下したとき発射を停止させたり、発射ハンドル２０に内蔵されたタッチスイッチがオン状態のときタッチランプを点灯させるためのものである。
【００３１】
ランプ制御基板４８は、主としてトランジスタ等の駆動素子から構成されており、主制御基板４６からの指令を受けて大当たりランプやエラーランプ等のランプ類およびＬＥＤ等の各種ランプ類を点灯表示させるためのものである。
【００３２】
音声制御基板４７は、音源ＩＣおよびアンプ等から構成されており、主制御基板４６の指令を受けてスピーカ６１を駆動制御するためのものである。
前述した図柄表示装置基板（特別図柄用）２４ａ、賞球制御基板５１、ランプ制御基板４８および音声制御基板４７への送信は、主制御基板４６からのみ送信することができるよう一方向通信の回路として構成されている。この一方向通信の回路は、インバータ回路またはラッチ回路を用いて具現化することができる。
【００３３】
次に、図４〜図６にしたがって、電源基板５３から電源中継基板５０を介して各基板に供給される直流電圧について説明する。まず、図４にしたがって、パチンコ機１０内における各基板の配置とそれらの接続状態を説明する。図４は、パチンコ機１０内における各基板の配置とそれらの接続状態を示す概略図である。図４に示すように、電源基板５３は、電源中継基板５０と発射制御基板５５に接続されている。そして、電源中継基板５０には、図柄表示装置基板（特別図柄用）２４ａ、主制御基板４６、音声制御基板４７、ランプ制御基板４８および賞球制御基板５１が接続されている。このように接続することにより電源基板５３で生成した各種直流電圧を電源中継基板５０を介して発射制御基板５５以外の各基板に供給することができると共に、各々の電気配線を電源基板５３から直接接続するよりも短くすることができる。したがって、電気配線の取廻し作業を簡単に行うことができる。しかも、発射制御基板５５以外の各基板は、電源中継基板５０に集約して接続されているので各電気配線の接続作業も効率よく行うことができる。また、電源中継基板５０は、遊技の進行を司る主制御基板４６の近傍に配設されているので、主制御基板４６の電気配線をより一層短くすることができる。このため遊技の進行を司る主制御基板４６への静電気等のノイズの影響を受けにくくすることができるので、遊技の進行を妨げるようなことがない。
【００３４】
また、電源中継基板５０を主制御基板４６と賞球制御基板５１の中間位置の近傍に配設しても良い。電源中継基板５０を主制御基板４６と賞球制御基板５１の中間位置の近傍に配設することにより、主制御基板４６と賞球制御基板５１の両方の電気配線を短くすることができる。即ち、主制御基板４６および賞球制御基板５１の両方の基板の静電気等のノイズの影響を受けにくくすることができる。したがって、遊技内容のバックアップを行う主制御基板４６および賞球制御基板５１がバックアップから復帰したときには、ノイズの影響を受けにくいので、遊技者に対して特別遊技状態の権利が消滅してしまう、賞球の払出数が少なくなるなどの不利益になるようなことを防止することができる。
【００３５】
また、電源中継基板５０を各基板の略中心位置に配設しても良い。このようにすることにより、各基板への配線の取廻し作業がより一層効率よく行うことができる。
なお、本実施例では発射制御基板５５は、電源中継基板５０を介して接続されていないが、これは発射制御基板５５が電源基板５３の近傍に配置されているためであり、発射制御基板５５も電源中継基板５０を介して接続するようにしても良い。
【００３６】
続いて、図５にしたがって、電源基板５３から各基板に供給される直流電圧の流れを説明する。図５は、電源基板５３から各基板に供給される直流電圧の流れを示すブロック図である。図５に示すように、電源基板５３には、外部から交流電力が供給される。この実施例ではＡＣ２４Ｖの交流電力が供給される。電源基板５３には、ＡＣ２４Ｖから例えば、ＤＣ３２Ｖ、ＤＣ１２Ｖ、ＤＣ５Ｖ、更にコンデンサによりＤＣ５Ｖのバックアップ電源（以下、ＶＢＢという）を作成する電源回路５３ａが搭載されている。そして、各直流電圧の内の必要な電圧を、主制御基板４６、賞球制御基板５１、図柄表示装置基板（特別図柄用）２４ａ、音声制御基板４７およびランプ制御基板４８には、電源中継基板５０を介して供給し、発射制御基板５５には、電源基板５０から直接供給するようにしている。
【００３７】
電源基板５３の電源回路５３ａで生成された各種直流電圧は、まず、電源中継基板５０と発射制御基板５５に供給される。電源中継基板５０には、ＤＣ３２Ｖ、ＤＣ１２Ｖ、ＤＣ５ＶおよびＶＢＢが供給され、発射制御基板５５には、ＤＣ３２Ｖ、ＤＣ１２ＶおよびＤＣ５Ｖがそれぞれ供給される。そして、電源中継基板５０に供給された各種直流電圧は、電源中継基板５０を介して各制御基板に必要な電圧を分電して供給するよう構成されている。
また、ここでは、電源中継基板５０において、ＤＣ３２Ｖ、ＤＣ１２Ｖ、ＤＣ５ＶおよびＶＢＢの直流電圧を生成しているが、各基板において、電源基板５３が供給される直流電圧を利用して、他の電圧を生成するようにしても良い。
【００３８】
本実施形態においては、音声制御基板４７には、ＤＣ１２ＶおよびＤＣ５Ｖが供給される。ランプ制御基板４８には、全波２４Ｖ、ＤＣ１２ＶおよびＤＣ５Ｖが供給される。賞球制御基板５１には、ＤＣ３２Ｖ、ＤＣ１２Ｖ、ＤＣ５ＶおよびＶＢＢが供給される。主制御基板４６には、ＤＣ３２Ｖ、ＤＣ１２Ｖ、ＤＣ５ＶおよびＶＢＢが供給される。そして、図柄表示装置基板２４ａには、ＤＣ１２ＶおよびＤＣ５Ｖが供給される。また、各基板に供給される電圧のグラウンド側は電源基板５３において共通にとられている。したがって、各基板におけるグラウンドレベルは共通であるので、ある基板から他の基板に伝達される信号として、電圧レベルをそのまま使用することができる。
【００３９】
次に、前述した各基板の接続状態と電源基板５３から各基板に供給される直流電圧の様子を図６にしたがって詳細に説明する。図６は、電源基板５３と各基板間の接続状態と直流電圧供給の様子を示すブロック図である。図６に示すように、電源基板５３には、８ピンのコネクタＣＮ１および４ピンのコネクタＣＮ２が設けられている。そして、８ピンのコネクタＣＮ１は、電源中継基板５０に設けられるコネクタＣＮ１と接続され、４ピンのコネクタＣＮ２は、発射制御基板５５に設けられるコネクタＣＮ１に接続されている。
【００４０】
電源中継基板５０には、８ピンのコネクタＣＮ１、ＣＮ２、ＣＮ３、６ピンのコネクタＣＮ４、５ピンのコネクタＣＮ５、ＣＮ６が設けられており、それぞれ、コネクタＣＮ１は前記したように電源基板５３に設けられるコネクタＣＮ１と、コネクタＣＮ２は主制御基板４６に設けられるコネクタＣＮ１と、コネクタＣＮ３は賞球制御基板５１に設けられるコネクタＣＮ１と、コネクタＣＮ４はランプ制御基板４８に設けられるコネクタＣＮ１と、コネクタＣＮ５は図柄表示装置基板（特別図柄用）２４ａに設けられるコネクタＣＮ１と、コネクタＣＮ６は音声制御基板４７に設けられるコネクタＣＮ１と接続されている。
【００４１】
前述したように、電源基板５３には、外部の電源プラグからＡＣ２４Ｖが供給され、この交流電力から電源回路５３ａにて、ＤＣ３２Ｖ、ＤＣ１２Ｖ、ＤＣ５Ｖおよびコンデンサで生成されるＶＢＢという各種直流電圧が生成される。そして、生成された直流電圧は、コネクタＣＮ１から電源中継基板５０に供給され、コネクタＣＮ２から発射制御基板５５に供給される。電源中継基板５０に供給される直流電圧はＤＣ３２Ｖ、ＤＣ１２Ｖ、ＤＣ５ＶおよびＶＢＢが供給されると共に、停電を検出するための停電信号および停電から復旧したときに各機能をリセットする必要があるときに使用するリセット信号も送信される。発射制御基板５５に供給される直流電圧はＤＣ３２Ｖ、ＤＣ１２ＶおよびＤＣ５Ｖが供給される。
【００４２】
電源中継基板５０には、供給された各種直流電圧および各種信号を分電して、電源中継基板５０に接続される各基板に供給するための伝導材質で形成されたパターンがプリントされており、電源中継基板５０に接続される各種基板に必要な直流電圧および信号を分電して供給するよう構成されている。ここでは、主制御基板４６には、電源中継基板５０のコネクタＣＮ２からＤＣ３２Ｖ、ＤＣ１２Ｖ、ＤＣ５Ｖ、ＶＢＢおよび停電信号、リセット信号が供給される。賞球制御基板５１には、電源中継基板５０のコネクタＣＮ３からＤＣ３２Ｖ、ＤＣ１２Ｖ、ＤＣ５Ｖ、ＶＢＢおよび停電信号、リセット信号が供給される。ランプ制御基板４８には、電源中継基板５０のコネクタＣＮ４から全波２４Ｖ、ＤＣ１２Ｖ、ＤＣ５Ｖおよびリセット信号が供給される。図柄表示装置基板（特別図柄用）２４ａには、電源中継基板５０のコネクタＣＮ５からＤＣ１２Ｖ、ＤＣ５Ｖおよびリセット信号が供給される。音声制御基板４７には、電源中継基板５０のコネクタＣＮ６からＤＣ１２Ｖ、ＤＣ５Ｖおよびリセット信号が供給される。このように、電源基板５３から電源中継基板５０を介して、各基板に必要な電圧を正確に供給することができる。
【００４３】
次に、電源基板５３から電源中継基板５０を介して供給された各基板の電源供給の様子を詳細に説明する。図７は、主制御基板４６における電源供給の様子を示すブロック図である。図７に示すように、電源基板５３で生成されたＤＣ３２Ｖ、ＤＣ１２Ｖ、ＤＣ５ＶおよびＶＢＢが電源中継基板５０を介して主制御基板４６に供給される。主制御基板４６では供給された各種直流電圧の内、ＤＣ３２Ｖは、普通電動役物ソレノイド３０ｄ、大入賞口ソレノイド３３ｃおよびＶソレノイド３３ｄを駆動するために使用される。また、ＤＣ１２Ｖは、満タンスイッチ５７、補給スイッチ５８、その他の入賞口スイッチ５９、Ｖスイッチ３３ａ、カウントスイッチ３３ｂ、第１種始動口スイッチ３０ｃおよび普通図柄始動スイッチ２８ａ、２８ａに供給される。そして、ＤＣ５Ｖは、主制御基板４６内に搭載される各ＩＣの駆動電源に、ＶＢＢは、バックアップ機能を内蔵したＩＣに供給される。
【００４４】
図８は、賞球制御基板５１における電源供給の様子を示すブロック図である。図８に示すように、電源基板５３で生成されたＤＣ３２Ｖ、ＤＣ１２Ｖ、ＤＣ５ＶおよびＶＢＢが電源中継基板５０を介して賞球制御基板５１に供給される。賞球制御基板５１では供給された各種直流電圧の内、ＤＣ３２Ｖは、球切モータ４４ｂおよび貸球モータ４５ｂの駆動電源となる。また、ＤＣ１２Ｖは、賞球払出スイッチ４４ａおよび貸球払出スイッチ４５ａに供給される。そして、ＤＣ５Ｖは、賞球制御基板５１内に搭載される各ＩＣの駆動電源に、ＶＢＢは、バックアップ機能を内蔵したＩＣに供給される。
【００４５】
図９は、ランプ制御基板４８における電源供給の様子を示すブロック図である。図９に示すように、電源基板５３で生成されたＤＣ３２Ｖ、ＤＣ１２Ｖ、ＤＣ５ＶおよびＶＢＢが電源中継基板５０に供給される。そして、これらの内ランプ制御基板４８に必要な電圧であるＤＣ１２ＶとＤＣ５Ｖが供給される。なお、ランプ制御基板４８には、全波２４Ｖも供給される。ランプ制御基板４８では供給された各種直流電圧の内、全波２４Ｖは、各種ランプを駆動するために使用される。また、ＤＣ１２Ｖは、各種ＬＥＤを駆動するために使用される。そして、ＤＣ５Ｖは、ランプ制御基板４８内に搭載される各ＩＣの駆動電源となる。
【００４６】
図１０は、音声制御基板４７における電源供給の様子を示すブロック図である。図１０に示すように、電源基板５３で生成されたＤＣ３２Ｖ、ＤＣ１２Ｖ、ＤＣ５ＶおよびＶＢＢが電源中継基板５０に供給される。そして、これらの内音声制御基板４７に必要な電圧であるＤＣ１２ＶとＤＣ５Ｖが供給される。音声制御基板４７では供給された各種直流電圧の内、ＤＣ１２Ｖは、スピーカ６１を駆動するために使用される。また、ＤＣ５Ｖは、音声制御基板４７内に搭載される各ＩＣの駆動電源となる。
【００４７】
図１１は、図柄表示装置基板（特別図柄用）２４ａにおける電源供給の様子を示すブロック図である。図１１に示すように、電源基板５３で生成されたＤＣ３２Ｖ、ＤＣ１２Ｖ、ＤＣ５ＶおよびＶＢＢが電源中継基板５０に供給される。そして、これらの内図柄表示装置基板（特別図柄用）２４ａに必要な電圧であるＤＣ１２ＶおよびＤＣ５Ｖが供給される。そして、これらの内図柄表示装置基板（特別図柄用）２４ａでは供給された各種直流電圧の内、ＤＣ１２Ｖは、特別図柄表示部を駆動するために使用される。また、ＤＣ５Ｖは、図柄表示装置基板（特別図柄用）２４ａ内に搭載される各ＩＣの駆動電源となる。
【００４８】
図１２は、発射制御基板５５における電源供給の様子を示すブロック図である。図１２に示すように、電源基板５３で生成されたＤＣ３２Ｖ、ＤＣ１２ＶおよびＤＣ５Ｖが直接発射制御基板５５に供給される。そして、これらの内、ＤＣ３２Ｖは、発射モータ５４ａを駆動するために使用される。ＤＣ１２Ｖは、タッチスイッチおよび発射スイッチに供給される。また、ＤＣ５Ｖは、発射制御基板５５内に搭載される各ＩＣの駆動電源となる。
【００４９】
以上のように、電源基板５３から電源中継基板５０を介して各基板に供給された電源は使用される。このように、電源基板５３から電源中継基板５０を介して各基板に直流電圧を供給すれば、各配線を短くすることができる。したがって、静電気等のノイズに影響されることなく安定した電源の供給を可能とすることができる。
【００５０】
【発明の効果】
以上説明したように、請求項１記載の遊技機によれば、外部から供給される電力から複数の必要電源を生成して各遊技用装置の制御を行う各制御基板に供給する電源生成手段を備え、前記各制御基板から分離して前記電源生成手段を形成すると共に、前記電源生成手段は、前記電源中継基板を介して、前記直流電源、バックアップ電源、停電信号、リセット信号のうちのいずれか又は複数を、主制御基板及び該主制御基板が他の制御基板を介することなく信号を直接送信することのできる制御基板に分配する構造としたので、主制御基板及び該主制御基板が他の制御基板を介することなく信号を直接送信することのできる制御基板の接続を電源中継基板で一括して接続することができる。したがって、電気配線の接続作業およびそれに伴う電気配線の取廻し作業を簡略化することができるという優れた効果を発揮するものである。
また、主制御基板及び該主制御基板が信号を直接送信することのできる制御基板を電源中継基板を介して接続しているので各配線を電源基板から直接接続するよりも短くすることができるので、静電気等のノイズに強くすることができるという効果もある。
さらに、故障等が発生した場合には、電源基板に接続されている配線のみを取り外すだけで、点検・修理をすることができるという効果もある。
【００５１】
加えて、請求項１記載の遊技機によれば、前記電源生成手段は、前記電源中継基板を介して、前記直流電源、バックアップ電源、停電信号、リセット信号のうちのいずれか又は複数を、主制御基板及び該主制御基板が他の制御基板を介することなく信号を直接送信することのできる制御基板に分配する構成なので、電源基板から電源中継基板に供給された直流電源、バックアップ電源、停電信号、リセット信号を各制御基板に必要な分のみを正確に供給することができるという優れた効果を発揮するものである。
【００５２】
加えて、請求項１記載の遊技機によれば、前記電源中継基板を、遊技の進行を司る主制御基板の近傍に配設する構成にすることで、電源中継基板から主制御基板へ繋がる電気配線をより一層短くすることができ、好適である。したがって、遊技の進行を司る主制御基板が静電気等のノイズによる影響を受けにくくすることができるという効果を発揮するものである。
【００５３】
加えて、請求項１記載の遊技機によれば、前記各制御基板のうち、遊技の進行を司る主制御基板、及び賞球等の遊技球の排出を司る賞球制御基板は共に遊技内容のバックアップを行い、前記電源中継基板を、前記主制御基板と前記賞球制御基板の近傍に配設する構成とすることで、バッテリバックアップを行っている主制御基板および賞球制御基板の両方の電気配線を短くすることができるので、好適である。したがって、バッテリバックアップ時に静電気等のノイズによる影響を受けにくくすることができるので、特別遊技の権利の消滅や賞球数が規定よりも少なくなるという遊技者に対して不利益となるような現象をなくすことができるという効果を発揮するものである。
【図面の簡単な説明】
【図１】  実施例のパチンコ機の正面図である。
【図２】  実施例のパチンコ機の裏面図である。
【図３】  実施例のパチンコ機の電気的構成を示すブロック図である。
【図４】  実施例のパチンコ機内における各基板の配置とそれらの接続状態を示す概略図である。
【図５】  実施例の電源基板から各基板に供給される直流電圧の様子を示すブロック図である。
【図６】  実施例の電源基板と各基板の接続状態を示すブロック図である。
【図７】  実施例の主制御基板における電源供給の様子を示すブロック図である。
【図８】  実施例の賞球制御基板における電源供給の様子を示すブロック図である。
【図９】  実施例のランプ制御基板における電源供給の様子を示すブロック図である。
【図１０】  実施例の音声制御基板における電源供給の様子を示すブロック図である。
【図１１】実施例の図柄表示装置基板（特別図柄用）における電源供給の様子を示すブロック図である。
【図１２】実施例の発射制御基板における電源供給の様子を示すブロック図である。
【符号の説明】
１０…パチンコ機、１１…外枠、１２…ヒンジ機構、１３…内枠、
１４…遊技盤、１５…金枠、１６…上皿、１６ａ…流出口、
１６ｂ…上皿球抜きレバー、１７…球貸ユニット操作パネル、
１７ａ…球貸ボタン、１７ｂ…カード返却ボタン、１７ｃ…カード残金表示部、
１８…下皿、１８ａ…流出口、１８ｂ…下皿球抜きレバー、１９…発射レバー、
２０…発射ハンドル、２１…ガイドレール、２２…遊技領域、
２３…センター役物、２４…特別図柄表示装置、
２４ａ…図柄表示装置基板（特別図柄用）、２５…普通図柄表示装置、
２６…ランプ風車、２７…風車、２８…普通図柄始動用ゲート、
２８ａ…普通図柄作動スイッチ、２９…サイドランプ、３０…普通電動役物、
３０ａ、ｂ…開閉羽、３０ｃ…第１種始動口スイッチ、
３０ｄ…普通電動役物ソレノイド、３１…肩入賞口、３２…入賞装置、
３３…大入賞口、３３ａ…Ｖスイッチ、３３ｂ…カウントスイッチ、
３３ｃ…大入賞口ソレノイド、３３ｄ…Ｖソレノイド、３４…袖入賞口、
３５…アウト口、３６…球貸ユニット、３７…カード挿入口、
３８…表示ランプ、３９…遊技盤取付枠、４０…機構板、４１…球タンク、
４２…タンクレール、４３…カーブ樋、４４…賞球払出装置、
４４ａ…賞球払出スイッチ、４４ｂ…球切モータ、４５…貸球払出装置、
４５ａ…貸球払出スイッチ、４５ｂ…貸球モータ、４６…主制御基板、
４６ａ…主制御基板ケース、４７…音声制御基板、４８…ランプ制御基板、
４９…遊技盤用中継基板、５０…電源中継基板、５１…賞球制御基板、
５２…枠用中継基板、５３…電源基板、５３ａ…電源回路、５４…発射装置、
５４ａ…発射モータ、５５…発射制御基板、５６…外部接続端子板、
５７…満タンスイッチ、５８…補給スイッチ、５９…その他入賞口スイッチ、
６０…ＣＲ精算表示基板、６１…スピーカ。
【図１】
0003811795.tif 000002
【図２】
0003811795.tif 000003
【図３】
0003811795.tif 000004
【図４】
0003811795.tif 000005
【図５】
0003811795.tif 000006
【図６】
0003811795.tif 000007
【図７】
0003811795.tif 000008
【図８】
0003811795.tif 000009
【図９】
0003811795.tif 000010
【図１０】
0003811795.tif 000011
【図１１】
0003811795.tif 000012
【図１２】
0003811795.tif 000013